(57)【要約】      （修正有）【課題】エンジンの始動中に、所定の停車条件に応答してエンジンを自動停止し、エンジンの自動停止後、所定の発進操作に応答してエンジンを自動始動する際に、携帯機の電池切れによって車両と携帯機とでＩＤ認証が実施できずに、エンジンの自動始動ができない状態に陥ることを回避する。【解決手段】スマートイグニッション機能を備え、ワンプッシュ操作でエンジンの始動・停止動作を行うことができるエンジン始動・停止制御システムを備えたエンジン自動停止始動制御装置おいて、携帯機との通信が途絶した場合はエンジンの自動停止を禁止する。【選択図】図３
2010133364.tif 000002
【特許請求の範囲】
【請求項１】
携帯機との相互通信によって認証処理が確立したことを条件としてエンジンの始動を許可する車両制御装置であって、
エンジンの始動中に、所定の停車条件に応答してエンジンを自動停止し、エンジンの自動停止後は所定の発進操作に応答してエンジンを自動始動するエンジン自動停止始動判定部を備え、
前記エンジン自動停止始動判定部は、エンジンの始動中に前記携帯機との間の相互通信が途絶した場合、エンジンの自動停止を禁止することを特徴とする車両制御装置。
【請求項２】
携帯機との相互通信によって認証処理が確立したことを条件としてエンジンの始動を許可する車両制御装置であって、
エンジンの始動中に、所定の停車条件に応答してエンジンを自動停止し、エンジンの自動停止後は所定の発進操作に応答してエンジンを自動始動するエンジン自動停止始動判定部を備え、
前記エンジン自動停止始動判定部は、エンジンの始動中に前記携帯機の電池容量が所定値以下であることを検知した場合、エンジンの自動停止を禁止することを特徴とする車両制御装置。
【請求項３】
携帯機との相互通信によって認証処理が確立したことを条件としてエンジンの始動を許可する車両制御装置であって、
エンジンの始動中に、所定の停車条件に応答してエンジンを自動停止し、エンジンの自動停止後は所定の発進操作に応答してエンジンを自動始動するエンジン自動停止始動判定部を備え、
前記エンジン自動停止始動判定部は、エンジンの自動停止中に前記携帯機の電池容量が所定値以下であることを検知した場合には、エンジンの自動停止を禁止することを特徴とする車両制御装置。
【請求項４】
携帯機との相互通信によって認証処理が確立したことを条件としてエンジンの始動を許可する車両制御装置であって、
エンジンの始動中に、所定の停車条件に応答してエンジンを自動停止し、エンジンの自動停止後は所定の発進操作に応答してエンジンを自動始動するエンジン自動停止始動判定部を備え、
前記エンジン自動停止始動判定部は、エンジンの自動停止中に前記携帯機の電池容量が所定値以下であることを検知した場合には、エンジンを自動始動させることを特徴とする車両制御装置。
【請求項５】
携帯機との相互通信によって認証処理が確立したことを条件としてエンジンの始動を許可する車両制御装置であって、
エンジンの始動中に、所定の停車条件に応答してエンジンを自動停止し、エンジンの自動停止後は所定の発進操作に応答してエンジンを自動始動するエンジン自動停止始動判定部を備え、
前記エンジン自動停止始動判定部は、エンジンの自動停止後、所定の発進操作に応答してエンジンを自動始動する際に、携帯機との相互通信が途絶していた場合においても、車両盗難の可能性が低いと判断されたとき、前記認証処理によらずエンジンの自動始動を許可することを特徴とする車両制御装置。
【請求項６】
前記車両盗難の可能性が低いとは、エンジンの自動停止後から所定の発進操作の間にドアの開錠操作が行われないことを特徴とする請求項５に記載の車両制御装置。
【請求項７】
前記エンジンの自動停止後から所定の発進操作によってエンジンを自動始動する際、前記エンジンの回転数が所定値以上になったことを検知してから、前記携帯機との相互通信によって認証処理を実施することを特徴とする請求項１から６いずれかに記載の車両制御装置。
【請求項８】
前記携帯機の電池容量は携帯機から通信によって受信した携帯機の電池電圧から判断することを特徴とする請求項２〜４いずれかに記載の車両制御装置。
【請求項９】
前記携帯機の電池容量は携帯機から受信した電波の強さから判断することを特徴とする請求項２〜４いずれかに記載の車両制御装置。
【請求項１０】
その携帯機との相互通信によって認証処理が確立したことを条件としてエンジンの始動を許可する車両制御方法であって、
エンジンの始動中に、所定の停車条件に応答してエンジンを自動停止し、エンジンの自動停止後は所定の発進操作に応答してエンジンを自動始動するエンジン自動停止始動判定ステップを備え、
前記エンジン自動停止始動判定ステップは、エンジンの始動中に前記携帯機との間で相互通信が途絶した場合、エンジンの自動停止を禁止することを特徴とする車両制御方法。
【発明の詳細な説明】
【技術分野】
【０００１】
本発明は、例えばワンプッシュ操作でエンジンの始動・停止動作を行うことができるエンジン始動・停止制御システムを備えたエンジン自動停止始動制御装置に関する発明である。
【背景技術】
【０００２】
従来、信号待ちなので車両が停止しているような場面、つまりエンジン出力が不要な条件下でエンジンを自動停止させ、その後、エンジン出力が必要な所定条件が成立したときにエンジンを自動的に再始動することで燃料の節約やエミッションの改善を行う装置が知られている（例えば、特許文献１）。
【０００３】
また、近年の車両においては、その基本性能や安全性の向上はもとより、その操作性の向上が求められている。そこで、こうした操作性の向上を目的として、従来、スマートイグニッション機能を有するエンジン始動・停止制御システムが提案されている（例えば、特許文献２、特許文献３）。この種のエンジン始動・停止制御システムでは、所有者（運転者）によって所持される携帯機が車両室内に侵入すると車両に配設されたエンジン制御装置との間で自動的に携帯機とエンジン制御装置とで相互通信によって認証処理が行われ、その認証処理が成立したことを条件としてエンジンが始動可能な状態となる。そして、車両室内に設けられた始動・停止操作部が操作されることによってエンジンの始動処理および停止処理が可能となっている。つまり、運転者は、車両に搭乗して、キーをキーシリンダに挿入させるという煩わしい操作をすることがなくなり、セキュリティを確保して操作性を向上させている。
【特許文献１】特開２００３−１４８３１４
【特許文献２】特開２００１−２８９１４２
【特許文献３】特開２００１−３１１３３３
【発明の開示】
【発明が解決しようとする課題】
【０００４】
段落［０００２］に記載のエンジン自動停止・自動始動する制御装置に、段落［０００３］のスマートイグニッション機能を搭載した場合、エンジンが所定条件成立後に自動停止し、その後、所定の始動条件が成立して自動的にエンジンを始動する際に、スマートイグニッション機能を有する携帯機の電池が切れた場合（電池容量が少なく、通信が不可能な状態も含む）、携帯機とエンジン制御部とで相互通信が行えない。つまり、携帯機とエンジン制御部とで認証処理ができなくなり、エンジンを自動停止した後、エンジンを自動始動できなくなる虜がある。
【０００５】
このような場合、エンジンの自動停止後からのエンジンの自動始動の際は、携帯機とエンジン制御部とで認証処理を実施せずにエンジンを始動するようにすればいい訳だが、携帯機と車両側とで認証処理を実施しないため、セキュリティ性（車両盗難）に欠けることになる。
【０００６】
本発明は、この点に着目してなされたものであり、スマートイグニッション機能を備えた車両において、セキュリティ性を確保してエンジンの自動停止始動制御を可能とするエンジン自動停止始動制御装置およびエンジン自動停止始動方法を提供することを目的とする。
【課題を解決するための手段】
【０００７】
請求項１の発明は、携帯機との相互通信によって認証処理が確立したことを条件としてエンジンの始動を許可する車両制御装置であって、エンジンの始動中に、所定の停車条件に応答してエンジンを自動停止し、エンジンの自動停止後は所定の発進操作に応答してエンジンを自動始動するエンジン自動停止始動判定部を備え、前記エンジン自動停止始動判定部は、エンジンの始動中に前記携帯機との間の相互通信が途絶した場合、エンジンの自動停止を禁止することを要旨とする。
請求項２の発明は、携帯機との相互通信によって認証処理が確立したことを条件としてエンジンの始動を許可する車両制御装置であって、エンジンの始動中に、所定の停車条件に応答してエンジンを自動停止し、エンジンの自動停止後は所定の発進操作に応答してエンジンを自動始動するエンジン自動停止始動判定部を備え、前記エンジン自動停止始動判定部は、エンジンの始動中に前記携帯機の電池容量が所定値以下であることを検知した場合、エンジンの自動停止を禁止することを要旨とする。
【０００８】
請求項３の発明は、携帯機との相互通信によって認証処理が確立したことを条件としてエンジンの始動を許可する車両制御装置であって、エンジンの始動中に、所定の停車条件に応答してエンジンを自動停止し、エンジンの自動停止後は所定の発進操作に応答してエンジンを自動始動するエンジン自動停止始動判定部を備え、前記エンジン自動停止始動判定部は、エンジンの自動停止中に前記携帯機の電池容量が所定値以下であることを検知した場合には、エンジンの自動停止を禁止することを要旨とする。
【０００９】
請求項４の発明は、携帯機との相互通信によって認証処理が確立したことを条件としてエンジンの始動を許可する車両制御装置であって、エンジンの始動中に、所定の停車条件に応答してエンジンを自動停止し、エンジンの自動停止後は所定の発進操作に応答してエンジンを自動始動するエンジン自動停止始動判定部を備え、前記エンジン自動停止始動判定部は、エンジンの自動停止中に前記携帯機の電池容量が所定値以下であることを検知した場合には、エンジンを自動始動させることを要旨とする。
【００１０】
請求項５の発明は、携帯機との相互通信によって認証処理が確立したことを条件としてエンジンの始動を許可する車両制御装置であって、エンジンの始動中に、所定の停車条件に応答してエンジンを自動停止し、エンジンの自動停止後は所定の発進操作に応答してエンジンを自動始動するエンジン自動停止始動判定部を備え、前記エンジン自動停止始動判定部は、エンジンの自動停止後、所定の発進操作に応答してエンジンを自動始動する際に、携帯機との相互通信が途絶していた場合においても、車両盗難の可能性が低いと判断されたとき、前記認証処理によらずエンジンの自動始動を許可することを要旨とする。
請求項６の発明は、請求項５に記載のセキュリティ性の確保とは、エンジンの自動停止後から所定の発進操作の間にドアの開錠操作が行われないこと要旨とする。
請求項７の発明は、請求項１から６に記載の前記エンジンの自動停止後から所定の発進操作によってエンジンを自動始動させる際、前記エンジンの回転数が所定値以上になったことを検知してから、前記携帯機との相互通信によって認証処理を実施することを要旨とする。
【００１１】
請求項８の発明は、請求項２〜４に記載の携帯機の電池容量は携帯機から通信によって受信した携帯機の電池電圧から判断することを要旨とする。
請求項９の発明は、請求項２〜４に記載の携帯機の電池容量は携帯機から受信した電波の強さから判断することを要旨とする。
【発明の効果】
【００１２】
請求項１に記載の発明によると、エンジンの始動中に携帯機と車両制御装置との間の相互通信が途絶した場合には、エンジンの自動停止を禁止している。すなわち、エンジンを自動停止させた後に、自動でエンジンを再始動させる際に、携帯機と車両制御装置とで相互通信による認証処理ができないという事態に陥り、エンジンの自動停止後に自動始動ができなくなるという事態を回避することができる。
【００１３】
請求項２に記載の発明によると、エンジンの始動中に携帯機の電池容量が所定値以下であることを検知した場合には、エンジンの自動停止を禁止している。すなわち、エンジンを自動停止させた後に、自動でエンジンを再始動する際に、携帯機の電池切れ（電池容量が少なく通信不可能状態含む）によって、携帯機と車両制御装置とで相互通信による認証処理ができないという事態に陥り、エンジンの自動停止後に自動始動ができなくなるという事態を回避することができる。
【００１４】
請求項３に記載の発明によると、エンジンの自動停止中に携帯機の電池容量が所定値以下であることを検知した場合には、エンジンの自動停止を禁止している。すなわち、エンジンを自動停止させた後に、自動で再始動する際に、携帯機の電池切れ（電池容量が少なく通信不可能状態含む）によって、携帯機と車両制御装置とで相互通信による認証処理ができないという事態に陥る前に、エンジンの自動停止を禁止して、エンジンを自動始動させることが可能となる。
【００１５】
請求項４に記載の発明によると、エンジンの自動停止中に携帯機の電池容量が所定値以下であることを検知した場合には、エンジンを自動始動させるようにしている。すなわち、エンジンを自動停止させた後に、自動で再始動する際に、携帯機の電池切れ（電池容量が少なく通信不可能状態含む）によって、携帯機と車両制御装置とで相互通信による認証処理ができないという事態に陥る前に、エンジンを自動始動させることが可能となる。
【００１６】
請求項５の発明によると、エンジンの自動停止後、所定の発進操作に応答してエンジンを自動始動する際に、携帯機との相互通信が途絶していた場合、車両のセキュリティ性が確保されていれば、エンジンを自動始動させることを許可している。すなわち、携帯機と車両制御装置とで認証処理が実行できないようなときでも、セキュリティ性が確保されていれば、エンジンの自動停止後からエンジンを自動始動する際においてはエンジンの始動を許可する。つまり、セキュリティ性の確保が確認できた場合は、エンジンの自動停止後からの自動始動を可能とし、走行不能になることを回避することができる。
【００１７】
請求項６の発明によると、エンジンの自動停止後から所定の発進操作の間にドアの開錠操作が行われていない場合にセキュリティの確保できているとしている。すなわち、車室内に人の出入りがないような場合であれば、エンジンを始動してもセキュリティ性は確保できることになる。
【００１８】
請求項７の発明によると、エンジンの自動停止後から所定の発進操作によってエンジンを自動始動させる際、エンジンの回転数が所定値以上になったことを検知してから、携帯機との相互通信によって認証処理を実行するようにしている。つまり、車両から自動始動処理要求があった場合に、携帯機は所定のＩＤコードを送信するようにしているため、エンジン始動時に確実に携帯機と車両制御装置とで認証処理を実行させることができ、セキュリティ性が向上する。
【００１９】
請求項８の発明によると、携帯機の電池容量は携帯機から通信によって受信した携帯機の電池電圧から判断するようにしている。つまり、携帯機側でセンシングしている電池電圧を車両制御装置に通信でやり取りを行うことによって適切に携帯機の電池容量を検知してエンジンの自動停止始動制御を実施することができるようになる。
【００２０】
請求項９の発明によると、携帯機の電池容量は携帯機から受信した電波の強さから判断するようにしている。つまり、通信で電池電圧のデータを送る必要もなく、かつ携帯機側の電池電圧を測定するためのセンサも不要となり、請求項８よりコスト低減が図れる。
【発明を実施するための最良の形態】
【００２１】
次に、本発明の実施形態を図１〜図２に基づき詳細に説明する。
図１に示すように、車両９は、車両制御装置６（照合制御部１、エンジン制御部２、エアコン制御部３、ボディ制御部４、送受信部５、通信線７，８などから構成される）を備えている。また、車両制御装置６は、携帯機１０とＩＤコードの照合を実施して、車両９を制御している。
【００２２】
携帯機１０は、所有者（運転者）によって所持され、車両制御装置６（詳細には送受信部５）と相互通信可能となっている。詳しくは、携帯機１０は、車両９から出力されたＩＤコード要求信号１３を受信すると、所定のＩＤコード１２を自動的に無線で送信する。このＩＤコード１２は、所定周波数（例えば３００ＭＨｚ）の電波（ＩＤコード信号１４）として送信される。
【００２３】
車両制御装置６は、送受信部５、照合制御部１、エンジン制御部２、エアコン制御部３、ボディ制御部４を備えている。また、各制御部１〜４は通信線７、８によって電気的に接続されている。
【００２４】
また、各制御部１〜４は、図２に示すように、ＣＰＵ、ＲＯＭ、ＲＡＭからなるＣＰＵユニットによって構成されている。
【００２５】
次に、運転者が車室内に設けられた始動・停止ＳＷ１０１を操作してエンジンを始動する制御について説明する。本実施の形態において、始動・停止ＳＷ１０１はエンジン制御部２への入力信号２１として接続されている。なお、始動・停止ＳＷ１０１は、モーメンタリ式の押しボタンスイッチによって構成されている。まず、エンジン制御部２は、始動・停止ＳＷ１０１から押圧操作信号が入力されたことに伴い、照合制御部１に照合確認要求信号１２０を送信する。
【００２６】
照合制御部１は、送受信部５にＩＤコード要求信号１５１を出力する。送受信部５は、照合制御部１から出力されたＩＤコード要求信号１５１を所定周波数の電波（例えば１３４ｋＨｚ）に変調し、その電波を車両室内にＩＤコード要求信号１３を出力する。また送受信部５は、携帯機１０から送信されたＩＤコード信号１４を受信すると、そのＩＤコードをパルス信号に復調して照合制御部１に対して出力（ＩＤコード受信信号１５０）する。
【００２７】
照合制御部１は、送受信部５からＩＤコード受信信号１５０が入力されると、ＩＤコード受信信号に含まれるＩＤコードと、自身で予め設定されたＩＤコードとの比較（ＩＤコード照合）を行う。その結果、それらＩＤコード同士が一致したときは、照合制御部１は、エンジン制御部２に対して照合成立信号１２６を送信する。また、それらＩＤコード同士が不一致のときには、照合制御部１は、エンジン制御部２に対して照合不成立信号１２７を送信する。
【００２８】
エンジン制御部２は、照合成立信号１２６を受信した際は、エンジンスタータモータ１１３を駆動させ、インジェクタ１１０、イグナイタ１１１を駆動して噴射、点火を行い、エンジンを始動させる。また、エンジン制御部２は、エンジン回転数センサ１０６からの入力により、エンジン回転数が所定回転数以上になったことを検知するとエンジンスタータモータ１１３の駆動を停止し、エンジンのみでエンジン自立運転を行う。なお、エンジン自立運転とは、エンジンスタータモータのようにエンジン外部からの動力を利用することなく、燃料の爆発によってエンジン単体でエンジンが駆動している状態のことである。また、エンジン制御部２は、照合不整合信号１２７を受信した際は、エンジンスタータモータ１１３、インジェクタ１１０、イグナイタ１１１の駆動を禁止する。また、エンジン制御部２はエンジン始動中に始動・停止ＳＷ１０１から押圧操作信号が入力されたことを検知すると、インジェクタ１１０、イグナイタ１１１の駆動を停止する。
【００２９】
次にエンジン自動停止・自動始動について図３を用いて詳細に説明する。
従来、エンジン制御部２は、エンジンの始動中に、所定の停車条件（ステップＳ２、Ｓ３、Ｓ４、Ｓ５、Ｓ６、Ｓ７を満たす条件）に応答してエンジンを自動停止（ステップＳ１０）する。しかし、本発明においては、エンジン制御部２は、所定停止条件（ステップＳ２、Ｓ３、Ｓ４、Ｓ５、Ｓ６、Ｓ７を満たす条件）以外にも、携帯機と通信途絶していないか（ステップＳ８）や、携帯機の電池電圧が所定値以下まで低下していないか（ステップＳ９）の条件を参照してエンジンの自動停止を許可する構成としている。ここで、ステップＳ９の電池電圧が所定値以下とは、最低限照合が行える電池容量に設定しておくとよい。
【００３０】
ここで、携帯機１０と通信途絶していないかのステップＳ８の処理は、図３には記載していないが、送受信部５と携帯機１０とが通信可能状態であるかどうかを指す。つまり、通信途絶状態とは、送受信部５が携帯機１０からの送信データを受信できない状態を指す。
【００３１】
また、携帯機１０の電池電圧が所定値以下かどうかの処理は、図３には記載していないが、携帯機１０には携帯機１０の電池１１の電圧を検出するセンサ等が設けられており、携帯機１０はこのセンシングした電池電圧値をＩＤコード信号１４とは別のデータとして送受信部５に送信し、その電池電圧値を通信線７、８を介してエンジン制御部２に送信される。このようにして、エンジン制御部２は、この電池電圧値が所定値以下かどうかチェックできるようになっている。
また、ステップＳ８のかわりに、送受信部５にて携帯機１０からの電波強度を測定し、この電波強度が所定値以下であれば、エンジンの自動停止を禁止する構成としてもよい。
【００３２】
更に、従来、エンジン制御部２はエンジンの自動停止後所定の発進操作（ステップＳ１３、Ｓ１４、Ｓ１５、Ｓ１６、Ｓ１７、Ｓ１８）に応答して、携帯機とのＩＤ照合（ステップＳ２１）を実施して照合成立ならエンジンを自動始動する。つまり、ステップＳ１３では、車両が動いたことを検知するとエンジンを自動始動させる。車両が動いたどうかの検出は車速センサ１０５からの信号で判断するとよい。また、ステップＳ１４は、運転者によってアクセルが踏まれたことを検知するとエンジンを自動始動させる。アクセルが踏まれたどうかの検出はアクセルセンサ１０３から判断するとよい。また、ステップＳ１５では、運転者がブレーキを放したことを検知するとエンジンを自動始動させる。ブレーキが踏力はブレーキ圧センサ１０４から判断するとよい。また、ステップＳ１６では、ブレーキ負圧が不足していることを検知するとエンジンを自動始動させる。ブレーキ負圧の検出はインマニ圧力センサ１０９から判断するとよい。ステップＳ１７のエンジン始動要求信号１２４が入力されるとエンジンを自動始動させる。
ここで、エンジン始動要求信号１２４は、エアコン制御部３で作成された信号である。例えば、エアコン制御部３は、エアコンの温度設定ＳＷ１３３が暖房側に設定されており、ヒータ温度１３５が低いような状態を検出すると、ヒータの温度を高めるために、エンジン制御部２にエンジン始動要求信号１２４を送信する。
【００３３】
また、本発明においては、エンジン自動停止中に携帯機１０の電池１１の電圧が所定値以下であることを検出する（ステップＳ２０）とエンジンを自動始動させる。勿論、この際も携帯機１０とのＩＤ照合（ステップＳ１９）を実施し、照合成立の場合に噴射および点火の作動を続けて許可する。ここで、ステップＳ２０の電池電圧が所定値以下とは、最低限照合が行える電池容量に設定しておくとよい。
【００３４】
更に、エンジン自動停止後所定のエンジン始動条件（ステップＳ１３、Ｓ１４、Ｓ１５、Ｓ１６、Ｓ１７、Ｓ１８）に応答して、エンジンを自動始動させる際（ステップＳ２４）に、携帯機１０と通信途絶していた場合、エンジンの自動停止中にドアの開閉履歴がなければ（ステップＳ２２）エンジンの自動始動（ステップＳ２４）を許可する構成とする。
【００３５】
ここで、ステップＳ２２のドアの開閉履歴の処理方法は、ボディ制御部４でエンジンの自動停止中にドア開閉ＳＷの履歴を検知し、ドアの開閉履歴信号１２５をエンジン制御部２に送信することにより、ドアの開閉履歴が判断できるようになっている。すなわち、ドアの開閉履歴がなければ、運転者の乗り降りはなく、車両盗難の可能性がないと判断できる構成となっている。
【００３６】
また、図３に記載していないが、エンジンの自動停止後からエンジンの自動始動に際しての携帯機１０とのＩＤ照合は、エンジン回転数が所定回転数以上になってからＩＤ照合を実施する構成にするとよい。つまり、ステップＳ１３、Ｓ１４、Ｓ１５、Ｓ１６、Ｓ１７、Ｓ１８によってエンジンを自動始動させる条件が成立すると、エンジン制御部２はエンジンスタータモータ１１３を駆動し、かつインジェクタ１１０およびイグナイタ１１１を駆動させ、噴射および点火を開始する。前記、エンジン始動動作によりエンジン回転数が所定回転数以上になってから携帯機とのＩＤ照合を実施する構成にすれば、エンジン自動始動の際に必ず携帯機１０とＩＤ照合が確実に実施できるようになる。更に、エンジンを始動させるときにのみ、携帯機１０とのＩＤ照合を実施する構成にすれば、携帯機１０の電池を延命する効果も得られる。
【００３７】
次にステップＳ２５〜Ｓ２８について説明する。ステップＳ２５はエンジンは始動中でなく、かつエンジン自動停止中でないとき、即ち、運転者が車両に乗り込んで始動・停止ＳＷの押圧操作によりエンジンを始動させるような状態である。ステップＳ２５で始動・停止ＳＷの押圧操作有（ＹＥＳ）の場合は、ステップ２６でＩＤ照合を実施し、ＩＤ照合がＯＫの場合（ＹＥＳ）はステップ２７でエンジンを始動させる。ＩＤ照合がＮＧの場合（ＮＯ）はＳ２８でエンジンの停止状態を継続させ、エンジンを始動させない。
【００３８】
図４から図７に本発明の一実施形態のタイミングチャートを示す。図４は、異常動作なし時（通信途絶なし時）のエンジン処理のフローチャートである。ｔ１で運転者が車両に乗車して、車両電子制御装置６と携帯機１０で認証ＯＫフラグがオンになる。ｔ２で運転者が始動・停止ＳＷを押印してエンジンが始動する。ｔ３で図３のＳ２〜Ｓ８の条件が成立してエンジンを自動停止する。ｔ４で例えばブレーキをオフすることによってＳ４の条件が成立せず、エンジンを自動始動する。ｔ５でエンジン回転数が所定回転数以上になって、車両電子制御装置６と携帯機１０との認証処理を実施し、認証ＯＫとなる。ｔ6で運転者が始動・停止ＳＷを押印してエンジンを停止する。ｔ7で運転者が降車する。
【００３９】
図５は、エンジン始動中に通信異常が発生したときのエンジン処理フローである。エンジン始動中に通信が途絶（ｔ１３）すると、図３のＳ８の条件が成立しないため、Ｓ２〜Ｓ７の条件が成立してもエンジンを自動停止することがなくなる。
図６は、エンジン自動停止中に通信途絶が発生し、かつドアの開錠が無かった時の処理フローである。ｔ２３で図３のＳ２〜Ｓ８の条件が成立してエンジンを自動停止する。ｔ２４で車両制御装置６と携帯機１０との通信が途絶する。ｔ２５で例えばブレーキをオフすることによってＳ４の条件が成立せず、エンジンを自動始動する。ｔ２６でエンジンが所定回転数以上となり車両制御装置６と携帯機１０とで認証処理を実行するが通信途絶のため認証処理は成立しない。しかし、エンジン自動停止中（ｔ２３〜ｔ２６の間）でドアの開錠がないため、セキュリティ性が確保できているとして、認証ＯＫフラグをダミーでオンして、エンジン始動を継続する。
【００４０】
図７は、エンジン自動停止中に通信途絶が発生し、かつドアの開錠が有った時の処理フローである。ｔ３３で図３のＳ２〜Ｓ８の条件が成立してエンジンを自動停止する。ｔ３４で運転者がドアの開錠を行う。ｔ３５で車両制御装置６と携帯機１０との通信が途絶する。ｔ３６で例えばブレーキをオフすることによってＳ４の条件が成立せず、エンジンを自動始動する。ｔ３７でエンジンが所定回転数以上となり車両制御装置６と携帯機１０とで認証処理を実行するが通信途絶のため認証処理は成立しない。また、エンジン自動停止中（ｔ３３〜ｔ３７の間）でドアの開錠が有るため、セキュリティ性が確保できていないとしてエンジンの自動始動は禁止してエンジンを停止する。ｔ３８で運転者が始動・停止ＳＷを押印してエンジンを始動させようとしても、車両電子制御装置６と携帯機１０とで認証ＯＫとなっていないため、エンジンの始動を許可しない。このような場合、携帯機１０の電池が切れると手動でもエンジンを始動させることができなくなるため、エマージェンシー用のキーシリンダを用意しておき、運転者がそのキーシリンダに携帯機の挿入してエンジンを始動できるよな構成としておけば、携帯機の電池が切れた場合でもエンジンを手動で始動できるようになる。
【図面の簡単な説明】
【００４１】
【図１】本発明の一実施例であるエンジン自動停止始動制御装置の概略図を示す構成図である。
【図２】本発明の一実施例であるエンジン自動停止始動制御装置の概略図を示す構成図である。
【図３】本発明の一実施例であるエンジン自動停止始動制御装置のスローチャートを示す構成図である。
【図４】本発明の一実施例であるエンジン処理フロー（異常なし時）
【図５】本発明の一実施例であるエンジン処理フロー（エンジン始動中に通信異常発生時）
【図６】本発明の一実施例であるエンジン処理フロー（エンジン自動停止中に通信途絶発生かつドアの開錠無しり時）
【図７】本発明の一実施例であるエンジン処理フロー（エンジン自動停止中に通信途絶発生かつドアの開錠有り時）
【符号の説明】
【００４２】
１：照合制御部
２：エンジン制御部
３：エアコン制御部
４：ボディ制御部
５：送受信部
６：車両制御装置
７：通信線
８：通信線
９：車両
１０：携帯機
１１：電池
１２：ＩＤコード（携帯機側）
２１：エンジン制御部へ入力信号
２２：エンジン制御部の出力信号
２３：エアコン制御部の入力信号
２４：ボディ制御部の入力信号
【図１】
2010133364.tif 000003
【図２】
2010133364.tif 000004
【図３】
2010133364.tif 000005
【図４】
2010133364.tif 000006
【図５】
2010133364.tif 000007
【図６】
2010133364.tif 000008
【図７】
2010133364.tif 000009